(57)【特許請求の範囲】
【請求項１】
複数の副搬送路から入れ込まれる薄片を主搬送路に合流させて搬送する合流搬送部分と、前記合流搬送部分から入れ込まれる前記薄片を前記主搬送路に沿って搬送する主搬送部分とを設けるとともに、前記主搬送路を屈曲させた屈曲箇所を設ける薄片搬送装置であって、
前記屈曲箇所に位置付けた前記主搬送部分の途中箇所に、前記屈曲を所定の範囲内で任意の屈曲角度に変化させるための可変屈曲機構を配置する可変屈曲機構配置手段と、
前記任意の屈曲角度において前記屈曲を固定させるための固定機構を前記途中箇所に配置する固定機構配置手段とを具備し、
前記可変屈曲機構を、
前記途中箇所で前記主搬送部分の枠体を上流側枠体と下流側枠体とに分割するとともに、前記上流側枠体の端部と前記下流側枠体の端部との間に前記屈曲のための支点を設けて、前記上流側枠体と前記下流側枠体とを連結する屈曲連結手段と、
前記主搬送部分における搬送を対向ベルト搬送機構の対向ベルト部分で行わせる対向ベルト搬送手段と、
前記途中箇所の上流側における前記対向ベルト部分の両側に設けられて対向する１対の対向ローラ（以下、上流側対向ローラという）と、前記途中箇所の下流側における前記対向ベルト部分の両側に設けられて対向する１対の対向ローラ（以下、下流側対向ローラという）とを配置する対向ローラ配置手段と、
前記上流側対向ローラと前記下流側対向ローラとの間における前記対向ベルト搬送機構の一方の復側ベルトの外側に設けられた上流側案内ローラと、前記下流側対向ローラよりも下流側の前記復側ベルトの外側に設けられた下流側案内ローラとを配置する案内ローラ配置手段と、
前記上流側枠体と前記下流側枠体とを前記支点で屈曲させることにより、前記対向ベルト部分を前記下流側対向ローラの一方のローラの外周に沿って屈曲させる対向ベルト屈曲手段とを設けて構成したことを特徴とする薄片搬送装置。
【請求項２】
前記上流側枠体の下流側位置に設けられて前記薄片の上下の両面を案内する１対の案内片（以下、上流側案内片という）と、前記下流側枠体の上流側位置に設けられて前記両面を案内する１対の案内片（以下、下流側案内片という）とを配置する案内片配置手段と、
前記上流側枠体の側に固定されて前記上流側案内片の外側から前記下流側案内片の内側に入れ込まれるとともに、前記屈曲に従って屈曲することにより、前記上流側案内片と前記下流側案内片との間における前記薄片の上下の片面を案内する案内片を配置する屈曲案内片配置手段とを付加したことを特徴とする請求項１記載の薄片搬送装置。
【請求項３】
前記上流側枠体と前記下流側枠体との間の両外側を覆って前記屈曲により屈曲するとともに、一端が前記下流側枠体に固定されて、他端が前記上流側枠体の両外側に沿って出入する１対の覆板を配置する覆板配置手段を付加したことを特徴とする請求項１または請求項２記載の薄片搬送装置。
【請求項４】
請求項１から請求項３のいずれかに記載の薄片搬送装置を具備することを特徴とするパチンコ台島装置。
【発明の詳細な説明】
【０００１】
【発明の属する技術分野】
この発明は、複数の入口から入れ込まれた紙幣のような薄片を所定の経路方向に搬送する薄片搬送装置ならびに、その利用装置、例えば、複数台のパチンコ遊技機とその遊技球を貸付対価として入れ込まれた紙幣などを搬送する薄片搬送装置を設けたパチンコ台島装置などに関するものである。
【０００２】
【従来の技術】
パチンコ遊技機、または、パチンコ遊技機のゲート部分に跳ね返し機能やスロットマシン機能を設けたパチンコ・スロット遊技機などの遊技機（この発明では、これらの遊技機を総称して、パチンコ台という）を、図１１のように、複数台配置して、１つのブロック状に構成したものをパチンコ台島装置５００という、このパチンコ台島装置５００は、パチンコ店の内部において、あたかも複数の「島」を配置したように見えるので、通称を「島」とも呼ばれている。
【０００３】
以下の図において、同一符号で示す部分は、いずれかの図において説明する同一符号の部分と同一の機能をもつ部分である。また、図中のごく太い線の部分は、その部分の端面または断面を略して画いた部分である。なお、この発明において部材とは、所要の各部を構成する構成材を言うものである。
【０００４】
そして、図１１のように、パチンコ台の遊技に使用する遊技球の貸付対価として入れ込まれた紙幣、伝票、カード類などの薄片１００を搬送するための薄片搬送装置３００をパチンコ台島装置５００に組み付けた構成が周知である。
【０００５】
図１１において、パチンコ台島装置５００には、複数台のパチンコ台Ｂを前列側と後列側とに分けて配置するとともに、パチンコ台Ｂ間の所要箇所に、パチンコ台Ｂに使用する遊技球、つまり、パチンコ玉を貸付けるための球貸装置（装置全体は図示せず）に入れ込まれた薄片１００を主搬送路Ｍにための副搬送路Ｓの部分を１つのブロック状に構成した副搬送部分Ｃを配置してある。なお、この発明において、上流側または下流側とは主搬送路Ｍにおける薄片１００の流れにおける上流側または下流側をいう。
【０００６】
また、前列側のパチンコ台Ｂと後列側のパチンコ台Ｂとの間の空間部分に主搬送路Ｍを構成する１つの主搬送路部分３００Ａを配置してあり、副搬送部分Ｃからの薄片１００を主搬送路部分３００Ａにより搬送して、例えば、主搬送路Ｍの終端に設けた収納箱１１０に薄片１００を収納する。なお、前列側と、後列側との区別は、構成を分かり易く説明するためのものであって、店内の配置などに関連づける意味のものではない。また、前列側または後列側のみで構成したものも周知である。
【０００７】
そして、パチンコ台Ｂの大きさＬ２の異なりに対する対応や、現場での薄片搬送装置３００の組み付けの容易化などのために、図１１〜図１６のように、主搬送路Ｍと副搬送路Ｓの合流箇所をブロック状にユニット化して構成した合流搬送部分２とし、各合流搬送部分の間に配置される主搬送路Ｍの箇所をブロック状にユニット化して構成した主搬送部分４とに分けて配置することにより、主搬送部分４の長さＬ３のみを変更するだけで、各副搬送路Ｓの間の距離Ｌ１の変化に対応し得るようにした構成が周知である。
【０００８】
さらに、具体的な細部の構成は、例えば、図１３のように、主搬送部分４における搬送構成を、対向して配置した同一速度で送行する２つの無端状のベルト４５Ａ・４５Ｂの間、すなわち、対向ベルト部分４２の間に、薄片１００を挟み込んで搬送する機構（この発明において、対向ベルト搬送機構という）によって構成し、また、副搬送部分Ｃにおける搬送構成も同様の対向搬送ベルト機構によって構成してある。
【０００９】
主搬送部分４における対向ベルト搬送機構４５Ａ・４５Ｂに対する駆動構成は、図１４のような歯車機構によって駆動されており、合流搬送部分２の底部側の保持板２ｚに配置した駆動モータ２６により歯車機構２６Ａを介して回転させられる仲介歯車２９〜２９ｄと連動する２つの歯車４６ａ・４６ｂの軸に設けた各駆動側プーリ４３Ａ・４３Ｂによってベルト４５Ａ・４５Ｂを駆動している。
【００１０】
そして、対向ベルト搬送機構４５Ａ・４５Ｂにより従動される従動側プーリ４４Ａ・４４Ｂを下流側の合流搬送部分２に近接した端部の位置に配置することにより、次順の合流搬送部分４に入れ込むようにしてある。
【００１１】
また、各対向ベルト搬送機構の対向するベルト、例えば、ベルト４５Ａ・４５Ｂの対向部分、すなわち、対向ベルト部分４２は、薄片１００が入り込む程度のごく僅かの隙間を設けるか、または、殆ど接触する状態になっている。なお、この発明において、対向ベルト部分４２のように、搬送方向に向かって送行する側のベルトを往側ベルトといい、搬送方向と反対方向に送行する側のベルト、例えば、ベルト４５Ａ１・４５Ｂ１の部分を復側ベルトという。
【００１２】
主搬送部分４の対向ベルト搬送機構４５Ａ・４５Ｂは、上流側の合流搬送部分２から送り込まれる薄片１００を取り込む側の端部に設けた案内片５９Ａと、搬送した薄片１００を次順の合流搬送部分２に送り込む側の端部に設けた案内片５９Ｂとの部分を残して、適宜の保護覆４Ａで囲んである。
【００１３】
主搬送部分４は、図１１〜図１６のように、合流搬送部分２に対して着脱できるようにしてあり、装着の際には、主搬送部分４に設けた案内片５９Ｂを合流搬送部分２の案内片２Ｂの部分に入れ込ませて、主搬送部分４の両端の底面側を合流搬送部分２から張り出した受止具２ａ・２ｂで保持するとともに、主搬送部分４の上面側から張り出した掛止具４７Ａの穴４７に、合流搬送部分２の上面側に設けた突起３０を入れ込んで保持させている。
【００１４】
副搬送部分Ｃから入れ込まれた薄片１００に対する合流搬送部分２での搬送構成は、薄片１００を、対向して配置したローラ（この発明において、対向ローラという）８１で取り込み、案内片２３とローラ２５Ａとで搬送して、下流側の主搬送部分４に設けた案内片５９Ａで案内して主搬送部分４に入れ込んでいる。この搬送構成は反対側の副搬送部分Ｃに対しても同様に対象形に配置してある。
【００１５】
案内導管８は、パチンコ台１００の大きさやパチンコ台島装置５００の配置の都合でパチンコ台島装置５００の幅Ｗが変化するので、案内導管８の長さを変えるだけで、幅Ｗに対応させ得るようにしたものである。
【００１６】
上流側の主搬送部分４から送り込まれた薄片１００に対する合流搬送部分２での搬送構成は、案内片２Ｂと対向ローラ２４とで搬送して下流側の主搬送部分４に入れ込むようにしている。
【００１７】
合流搬送部分２の上面側に設けた手動用つまみ２７Ｃは、歯車２９Ｄと歯車４６ｂとの噛み合わせ位置を調整する場合、合流搬送ユニット２の内部に薄片１００、例えば、紙幣が何らかの理由で停滞して詰まったときに、それを取り出す操作を行う場合などに、歯車機構全体を手動で回転させるためのものである。また、上方の歯車４６ａ・４６ｂの部分には保護覆９８を設けて、歯車の噛合部分に異物が入らないようにしている。
【００１８】
主搬送部分４の具体的な構成は、図１６のように、上下のフレーム４１に固定板５１を、例えば、ねじ５１Ａで固定するなどにより、上下のフレーム４１の間隔を保持するように構成したものを枠体５０として、この枠体５０に所要の構成部分を取り付けたものである。フレーム４１は、例えば、アルミニウムなど金属材、固定板５１は、例えば、鋼板などの金属材で形成してある。
【００１９】
上下のフレーム４１の間には、対向ベルト搬送機構４５Ａ・４５Ｂ、プーリ４３Ａ・４３Ｂ・４４Ａ・４４Ｂのほか、薄片１００の通過を検出するための検出器９９、例えば、赤外光の反射によるセンサと、対向ベルト部分４２の途中部分で隙間が生じないように押えるためのローラ４３Ｃと、このローラ４３Ｃの部分での薄片１００を案内する案内片５８と、これらの中間部分での薄片１００を案内する案内片５２が設けてある。
【００２０】
両側の保護覆４Ａの部分は、例えば、図１７の〔ロ−ロ断面〕のように、合成樹脂材で形成した覆用部材４８を下端側を支点として開閉可能に構成することにより、内部の対向ベルト搬送機構４５Ａ・４５Ｂの部分を露呈し得るようにして、薄片１００が何らかの理由で、対向ベルト部分４２で停滞状態になった場合に、薄片１００の取出操作を行えるように構成してある。
【００２１】
また、中間部分の案内片５２に代えて、図１７の〔案内・保護覆兼用型構成〕にように、覆用部材４８に内側に突き出した凸状部分４８Ａを設けておき、両側の凸状部分４８Ａの間で薄片１００を案内するように構成する場合もある。
【００２２】
ローラ４３Ｃは、必要に応じて、図１８の〔蛇行搬送型構成〕のように、プーリ４３Ａ・４４Ａを結ぶ線よりも前側または後側に配置して、対向ベルト部分４２を１つまたは複数の「へ字形」に曲折するように、１つまたは複数のローラ４３Ｃを配置している。
【００２３】
また、対向ベルト搬送機構４５Ａ・４５Ｂの部分を、必要に応じて、図１８の〔食込搬送型構成〕のように、プーリ４３Ａ・４３Ｂの対向位置と、プーリ４４Ａ・４４Ｂの対向位置とを、例えば、プーリ４３Ａ・４４Ａの半径程度だけ、ずらせるとともに、プーリ４３Ａ・４３Ｂの対向間隔と、プーリ４４Ａ・４４Ｂの対向間隔とを、例えば、ベルト４５Ａ・４５Ｂの厚さ程度だけ狭くすることにより、薄片１００を局部的に蛇行２５１・２５２させて搬送能力を向上させるように構成している。
【００２４】
【発明が解決しようとする課題】
上記の従来技術による構成は、主搬送路Ｍが直線状になっているので、装置全体の配置の都合上、例えば、店内の地形が曲がっているなどの都合で、パチンコ台島装置５００を曲折配置する必要がある場合には、その曲折箇所ごとに、収納箱１１０を設けて構成することになる。
【００２５】
しかし、こうした構成では、薄片１００、例えば、紙幣の収集に手間がかかるほか、その収納箱１１０を配置した箇所が実質的には無駄なスペースになってしまい、敷地の利用効率を低下させているという不都合がある。
【００２６】
こうした不都合を解消するために、その曲折箇所に、主搬送方向に曲折角度をもたせた合流搬送部分２を設けることが考えられるが、この構成では、その都度、敷地の曲折角度に合わせた合流搬送部分２を製造しなければならないので、装置を安価に提供できないなどの不都合が生ずる。
このため、こうした不都合のない薄片搬送装置ならびにその利用装置、例えば、パチンコ台島装置の提供が望まれているという課題がある。
【００２７】
【課題を解決するための手段】
この発明は、上記のような
複数の副搬送路から入れ込まれる薄片を主搬送路に合流させて搬送する合流搬送部分と、上記の合流搬送部分から入れ込まれる上記の薄片を上記の主搬送路に沿って搬送する主搬送部分とを設けるとともに、上記の主搬送路を屈曲させた屈曲箇所を設ける薄片搬送装置において、
【００２８】
上記の屈曲箇所に位置付けた上記の主搬送部分の途中箇所に、上記の屈曲を所定の範囲内で任意の屈曲角度に変化させるための可変屈曲機構を配置する可変屈曲機構配置手段と、上記の任意の屈曲角度において上記の屈曲を固定させるための固定機構を上記の途中箇所に配置する固定機構配置手段とを設け、
【００２９】
この構成における可変屈曲機構を、上記の途中箇所で上記の主搬送部分の枠体を上流側枠体と下流側枠体とに分割するとともに、上記の上流側枠体の端部と上記の下流側枠体の端部との間に上記の屈曲のための支点を設けて、上記の上流側枠体と上記の下流側枠体とを連結する屈曲連結手段と、
【００３０】
上記の主搬送部分における搬送を対向ベルト搬送機構の対向ベルト部分で行わせる対向ベルト搬送手段と、
上記の途中箇所の上流側における上記の対向ベルト部分の両側に設けられて対向する１対の対向ローラ、すなわち、上流側対向ローラと、上記の途中箇所の下流側における上記の対向ベルト部分の両側に設けられて対向する１対の対向ローラ、すなわち、下流側対向ローラとを配置する対向ローラ配置手段と、
【００３１】
上記の上流側対向ローラと上記の下流側対向ローラとの間における上記の対向ベルト搬送機構の一方の復側ベルトの外側に設けられた上流側案内ローラと、上記の下流側対向ローラよりも下流側の上記の復側ベルトの外側に設けられた下流側案内ローラとを配置する案内ローラ配置手段と、
【００３２】
上記の上流側枠体と上記の下流側枠体とを上記の支点で屈曲させることにより、上記の対向ベルト部分を上記の下流側対向ローラの一方のローラの外周に沿って屈曲させる対向ベルト屈曲手段とを設けて構成した第１の構成と、
【００３３】
上記の第１の構成に付加して、上記の上流側枠体の下流側位置に設けられて上記の薄片の上下の両面を案内する１対の案内片、すなわち、上流側案内片と、上記の下流側枠体の上流側位置に設けられて上記の両面を案内する１対の案内片、すなわち、下流側案内片とを配置する案内片配置手段と、
【００３４】
上記の上流側枠体の側に固定されて上記の上流側案内片の外側から上記の下流側案内片の内側に入れ込まれるとともに、上記の屈曲に従って屈曲することにより、上記の上流側案内片と上記の下流側案内片との間における上記の薄片の上下の片面を案内する案内片を配置する屈曲案内片配置手段とを設ける第２の構成と、
【００３５】
上記の第１の構成・第２の構成に付加して、上記の上流側枠体と上記の下流側枠体との間の両外側を覆って上記の屈曲に従って屈曲するとともに、一端が上記の下流側枠体に固定されて、他端が上記の上流側枠体の両外側に沿って出入する覆板を配置する覆板配置手段を設ける第３の構成と、パチンコ台島装置において、上記の第１構成〜第３の構成を設ける第４の構成とより上記の課題を解決したものである。
【００３６】
【発明の実施の形態】
この発明の実施の形態として、上記の従来技術の構成にこの発明を適用した実施例を説明する。
【００３７】
【実施例】
〔第１実施例〕
以下、図１〜図８により第１実施例を説明する。この第１実施例の構成が上記の従来技術の構成と異なる箇所は次の箇所である。なお、図２〜図８において、特に説明していない箇所は、主搬送路Ｍに対して上下・前後の構成が対称になるように構成してある。また、図２は枠体５０を除去して内部の構成を分かり易く記載した図である。
【００３８】
第１には、主搬送路Ｍの屈曲箇所Ｍｂに位置する主搬送部分４Ｘの構成を、図１の〔屈曲搬送構成〕のように、主搬送部分４Ｘの途中箇所５５に、主搬送路Ｍの屈曲を所定の範囲内、例えば、屈曲角度範囲θ１を９０°とした範囲内で、任意の屈曲角度θ２に変化させるための可変屈曲機構６０を配置するとともに、任意の屈曲角度θ２の箇所で固定させるための固定機構７０を設けて構成した箇所である。
【００３９】
第２には、図１の〔屈曲部分搬送構成〕のように、主搬送部分４Ｘの途中箇所５５で枠体５０を上流側枠体５０Ａと下流側枠体５０Ｂとに分割するとともに、上流側枠体５０Ａの端部と下流側枠体５０Ｂの端部との間に、主搬送路Ｍを屈曲するための支点６１を設けて、上流側枠体５０Ａ・下流側枠体５０Ｂとを連結した箇所である。
【００４０】
第３には、主搬送部分４Ｘにおける薄片１００の搬送を対向ベルト搬送機構４５Ａ・４５Ｂの対向ベルト部分４２で行わせるとともに、上記の途中箇所５５よりも上流側の対向ベルト部分４２の両側に、対向する１対の対向ローラ４５Ｊ・４５Ｋ、すなわち、上流側対向ローラ４５Ｊ・４５Ｋを配置した箇所である。
【００４１】
第４には、上記の途中箇所５５よりも下流側の対向ベルト部分４２の両側に、対向する１対の対向ローラ４５Ｌ・４５Ｍ、すなわち、下流側対向ローラ４５Ｌ・４５Ｍを配置した箇所である。
【００４２】
第５には、上流側対向ローラ４５Ｊ・４５Ｋと下流側対向ローラ４５Ｌ・４５Ｍとの間に、対向ベルト搬送機構４５Ａ・４５Ｂの一方の復側ベルト、例えば、ベルト４５Ａの復側ベルト４５Ａ１の外側に、上流側案内ローラ４５Ｐを配置するとともに、下流側対向ローラ４５Ｌ・４５Ｍよりも下流側の復側ベルト４５Ａ１の外側に、下流側案内ローラ４５Ｑを配置した箇所である。
【００４３】
第６には、上流側枠体５０Ａと下流側枠体５０Ｂとを支点６１で屈曲さて、対向ベルト部分４２を下流側対向ローラ４５Ｌ・４５Ｍの一方の外周、例えば、ローラ４５Ｌの外周に沿って屈曲させるようにした箇所である。そして、第７には、上記の第２〜第６の箇所の構成により可変屈曲機構６０を構成した箇所である。
【００４４】
第８には、図３・図５・図６のように、薄片１００の上下の両面を案内する１対の案内片５３Ａ・５３Ｂをもつ上流側案内片５３を上流側枠体５０Ａの下流側の位置に配置するとともに、同様に両面を案内する１対の案内片５４Ａ・５４Ｂをもつ下流側案内片５４を下流側枠体５０Ｂの上流側の位置に配置した箇所である。なお、案内片５３・５４は、例えば、合成樹脂材で形成してある。
【００４５】
第９には、案内片５３・５４の間における薄片１００を屈曲させながら案内するための屈曲案内片６５の一端側を上流側枠体５０Ａの側、例えば、上流側枠体５０Ａに配置した上流側案内片５３の外側に固定しておき、屈曲案内片６５の他端側を上流側案内片５３の外側から下流側案内片５４の内側、すなわち、案内片５４Ａ・５４Ｂの間に入れ込まれせるように配置した箇所である。なお、屈曲案内片６５は比較的に大きい弾性をもつ透明な合成樹脂材の薄い板状体、例えば、東レ株式会社製の商品名「ルミラン」の厚さ０．２ｍｍ程度の薄板材で形成してある。
【００４６】
そして、屈曲案内片６５を屈曲角度θ２の屈曲に従って屈曲させることにより、上流側案内片５３Ａ・５３Ｂと下流側案内片５４Ａ・５４Ｂとの間における薄片１００の上下の片面、すなわち、屈曲の外側になる面を案内させている。
【００４７】
第１０には、上流側枠体５０Ａと下流側枠体５０Ｂとの間の両外側を覆うための１対の覆板６６Ａ・６６Ｂの一端を下流側枠体５０Ｂに固定させておき、覆板６６Ａ・６６Ｂを屈曲角度θ２の屈曲により屈曲させるとともに、覆板６６Ａ・６６Ｂの他端を上流側枠体５０Ａの両外側に沿って出入させるように配置した箇所である。覆板６６Ａ・６６Ｂは、例えば、屈曲案内片６５と同様の合成樹脂材で形成してある。
【００４８】
つまり、この第１実施例の構成は、概括的には、第１には、
複数の副搬送路Ｓから入れ込まれる薄片１００、例えば、紙幣を主搬送路Ｍに合流させて搬送する合流搬送部分２と、上記の合流搬送部分２から入れ込まれる上記の薄片１００を上記の主搬送路Ｍに沿って搬送する主搬送部分４とを設けるとともに、上記の主搬送路Ｍを屈曲させた屈曲箇所Ｍｂを設ける薄片搬送装置３００において、
【００４９】
上記の屈曲箇所Ｍｂに位置付けた上記の主搬送部分４Ｘの途中箇所５５に、上記の屈曲を所定の範囲内、例えば、屈曲角度範囲θ１を９０°とした範囲内で、任意の屈曲角度θ２に変化させるための可変屈曲機構６０を配置する可変屈曲機構配置手段と、
【００５０】
上記の任意の屈曲角度θ２において上記の屈曲を固定させるための固定機構７０を上記の途中箇所５５に配置する固定機構配置手段とを設けた構成とし、
【００５１】
この構成における可変屈曲機構６０を、上記の途中箇所で、上記の主搬送部分４Ｘの枠体５０を、上流側枠体５０Ａと下流側枠体５０Ｂとに分割するとともに、上記の上流側枠体５０Ａの端部と上記の下流側枠体５０Ｂの端部との間に上記の屈曲のための支点６１を設けて、上記の上流側枠体５０Ａと上記の下流側枠体５０Ｂとを連結する屈曲連結手段と、
【００５２】
上記の主搬送部分４Ｘにおける搬送を対向ベルト搬送機構４５Ａ・４５Ｂの対向ベルト部分４２で行わせる対向ベルト搬送手段と、
上記の途中箇所５５の上流側における上記の対向ベルト部分４２の両側に設けられて対向する１対の対向ローラ４５Ｊ・４５Ｋ、すなわち、上流側対向ローラ４５Ｊ・４５Ｋと、上記の途中箇所５５の下流側における上記の対向ベルト部分４２の両側に設けられて対向する１対の対向ローラ４５Ｌ・４５Ｍ、すなわち、下流側対向ローラ４５Ｌ・４５Ｍとを配置する対向ローラ配置手段と、
【００５３】
上記の上流側対向ローラ４５Ｊ・４５Ｋと上記の下流側対向ローラ４５Ｌ・４５Ｍとの間における上記の対向ベルト搬送機構４５Ａ・４５Ｂの一方の復側ベルト、例えば、ベルト４５Ａ１の外側に設けられた上流側案内ローラ４５Ｐと、上記の下流側対向ローラよりも下流側の上記の復側ベルトの外側に設けられた下流側案内ローラ４５Ｑとを配置する案内ローラ配置手段と、
【００５４】
上記の上流側枠体５０Ａと上記の下流側枠体５０Ｂとを上記の支点６１で屈曲させることにより、上記の対向ベルト部分４２を上記の下流側対向ローラ４５Ｌ・４５Ｍの一方のローラ、例えば、ローラ４５Ｌの外周に沿って屈曲させる対向ベルト屈曲手段とを設けて構成した上記の第１の構成を構成しているものである。
【００５５】
第２には、上記の第１の構成に付加して、上記の上流側枠体５０Ａに設けられて上記の薄片１００の上下の両面を案内する１対の案内片５３Ａ・５３Ｂ、すなわち、上流側案内片５３Ａ・５３Ｂと、上記の下流側枠体５０Ｂに設けられて上記の両面、すなわち、薄片１００の上下の両面を案内する１対の案内片５４Ａ・５４Ｂ、すなわち、下流側案内片５４Ａ・５４Ｂとを配置する案内片配置手段と、
【００５６】
上記の上流側枠体５０Ａの側に固定されて上記の上流側案内片５３Ａ・５３Ｂの外側から上記の下流側案内片５４Ａ・５４Ｂの内側に入れ込まれるとともに、上記の屈曲、すなわち、屈曲角度θ２に従って屈曲することにより、上記の上流側案内片５３Ａ・５３Ｂと上記の下流側案内片５４Ａ・５４Ｂとの間における上記の薄片１００の上下の片面を案内する案内片、例えば、屈曲案内片６５を配置する屈曲案内片配置手段とを設けた上記の第２の構成を構成しているものである。
【００５７】
第３には、上記の第１の構成・第２の構成に付加して、上記の上流側枠体５０Ａと上記の下流側枠体５０Ｂのと間の両外側を覆って上記の屈曲、すなわち、屈曲角度θ２に従って屈曲するとともに、一端が上記の下流側枠体に固定されて、他端が上記の上流側枠体の両外側に沿って出入する覆板を配置する覆板配置手段を設けた上記の第３の構成を構成しているものである。さらに、第４には、上記の第１の構成〜第３の構成による薄片搬送装置３００を設けたパチンコ台島装置５００を構成しているものである。
【００５８】
そして、具体的には、主搬送部分４Ｘから枠体５０を除いた部分の構成は図２のように構成してあり、図２において、薄片１００は、右端のプーリ４３Ａ・４３Ｂの箇所で取り込まれて、案内片５９Ａ・案内片５３で案内されながら対向ベルト搬送機構４５Ａ・４５Ｂの対向ベルト部分４２によって搬送される。
【００５９】
薄片１００は、まず、対向ローラ４５Ｊ・４５Ｋの箇所を通って、案内片５３の下流側に至り、案内片５３と案内片５４との間の箇所で、屈曲案内片６５で案内されて屈曲箇所Ｍｂで屈曲しながら案内片５４に入って案内され、次いで、対向ローラ４５Ｌ・４５Ｍの箇所を通って、案内片５２・案内片５９Ｂで案内されながら、プーリ４４Ａ・４４Ｂの箇所から送り出される。
【００６０】
屈曲箇所Ｍｂを屈曲させない場合の構成は、横断平面の構成が図３、平面の構成が図４、正面の構成が図５、要部の縦断面が図６のような構成になっており、各部分を図３〜図６の取付状態にしたときには、図１のように、屈曲角度範囲θ１を時計方向に９０°の範囲とした場合の構成になっている。
【００６１】
しかし、屈曲案内片６５の取付状態を対向ベルト４２の手前側に移設するとともに、図４の固定機構７０の回転固定板７１に鎖線で示したような対称形部分７１Ａを追加し、または、鎖線で示した対称形部分７１Ａの形状に変更することによって、屈曲角度範囲θ１を反時計方向に９０°の範囲とした場合の構成に変更できるようにした兼用構成のものにしてある。
【００６２】
このため、図３の直線状態において、対向ローラ４５Ｊ・案内ローラ４５Ｐ・対向ローラ４５Ｌ・案内ローラ４５Ｑと、対向ローラ４５Ｋ・案内ローラ４５Ｒ・対向ローラ４５Ｍ・案内ローラ４５Ｓとを、対向ベルト部分４２を中心にして、対称位置に位置付けてあり、対向ローラ４５Ｊ・４５Ｋと案内ローラ４５Ｐ・４５Ｒとの各軸受部分４５ｊ・４５ｋ・４５ｐ・４５ｒを上流側枠体５０Ａの上下のフレーム４１に、また、対向ローラ４５Ｌ・４５Ｍと案内ローラ４５Ｑ・４５Ｓとの各軸受部分４５ｌ・４５ｍ・４５ｑ・４５ｓを下流側枠体５０Ｂの上下のフレーム４１に配置してある。
【００６３】
また、屈曲角度θ２の変化によるベルト４５Ａ・４５Ｂの弛張状態を、なるべく均衡させるために、案内ローラ４５Ｐ・４５Ｒ・４５Ｑ・４５Ｓを、なるべく対向ベルト部分４２に接近させて配置してある。
【００６４】
さらに、支点６１を、図３の直線状態において、対向ローラ４５Ｌ・４５Ｍの対向位置点Ｐｘから対向ローラ４５Ｌ・４５Ｍの半径分だけ上流側の対向ベルト部分４２の位置、すなわち、主搬送路Ｍの位置またはその付近に位置付けることにより、任意の屈曲角度θ２の状態において、対向ベルト４２に挟まれた薄片１００が案内片５３の内側から、はみ出さないようにしている。
【００６５】
案内片５３の部分は、基体部分５３Ｃを含めた形状を案内片５９Ｂの部分とほぼ同様の形状に形成してあるが、案内片５３Ａ・５３Ｂの下流側端部の長さを、屈曲角度θ２を変化させた際に、薄片１００の搬送を妨げない程度に短くしてある。
【００６６】
案内片５４の部分は、基体部分５４Ｃを含めた形状を案内片５９Ａの部分とほぼ同様の形状に形成してあるが、案内片５４Ａ・５４Ｂの上流側端部の長さを、屈曲角度θ２を変化させた際に、薄片１００の搬送を妨げない程度に短くしてある。
【００６７】
そして、図３・図６のように、屈曲案内片６５の取付具６５Ｂは取付ねじ６５Ｃにより案内片５３の基体部分５３Ｃに固定してあり、屈曲案内片６５は、案内片５３側に押し付けるように無理に曲げた状態にして、屈曲案内片６５の一端を取付ねじ６５Ａにより取付具備６５Ｂに固定してあり、さらに、屈曲案内片６５の他端を案内片５３の端部から案内片５４の内側、すなわち、案内片５３Ａ・５３Ｂの間に入れ込んである。
【００６８】
上流側枠体５０Ａと下流側枠体５０Ｂとの連結部分は、図３のように、上流側枠体５０Ａのフレーム４１の端面４１Ａ１の形状を対向ベルト部分４２と直交する方向に直線状の端面に形成する。また、下流側枠体５０Ｂのフレーム４１の端面４１Ｂ１の形状は、端面４１Ａ１を支点６１を中心にして回転させた際の円弧状の面に形成するのが理想的ではあるが、加工を簡便にするために、１３５°の角度をもつ端面４１ｘで切り取った形状にしてある。
【００６９】
そして、上流側枠体５０Ａの連結部分における上下のフレーム４１の間の保持は、固定板５１と同様の固定板５１Ｕ・５１Ｖを固定用ねじ５１ｕ・５１ｖで固定してあり、下流側枠体５０Ｂの連結部分における上下のフレーム４１の間の保持は、固定板５１と同様の固定板５１Ｘ・５１Ｙを固定用ねじ５１ｘ・５１ｙで固定してある。
【００７０】
なお、固定板５１Ｘ・５１Ｙを固定する部分は、フレーム４１に直接的に固定せずに、案内片５４の基体部分５４Ｃを適宜の固定ねじ（図示せず）によりフレーム４１に固定するとともに、基体部分５４Ｃに固定板５１Ｘ・５１Ｙを固定することにより、固定板５１Ｘ・５１Ｙを、間接的に、フレーム４１に固定するように構成してある。
【００７１】
また、図５のように、上流側枠体５０Ａの上下のフレーム４１に取付ねじ７５Ａ１・７５Ｂ１で固定した上下のヒンジ金具７５Ａ・７５Ｂの間に、下流側枠体５０Ｂの上下のフレーム４１の端面４１Ｂ１の部分を入れ込んで挟むことにより、上流側枠体５０Ａによって、下流側枠体５０Ｂが上下方向に動かないように保持している。
【００７２】
さらに、上下のヒンジ金具７５Ａ・７５Ｂから張り出して設けた支点６１用のピン６１Ａ１・６１Ｂ１の先端部分を、下流側枠体５０Ｂの上下のフレーム４１に設けた支点穴６１Ａ２・６１Ｂ２に入れ込んで保持することにより、上流側枠体５０Ａと下流側枠体５０Ｂとが支点６１の箇所で屈曲できるように保持している。
【００７３】
屈曲角度θ２を固定する固定機構７０は、上側のヒンジ金具７５Ａを延長させた回転固定板７１の取付穴７１Ｃと、下流側枠体５０Ｂの上側のフレーム４１に取付ねじ７３Ａで固定した固定用座体７３に設けたねじ穴７３Ｂとを、手動で操作可能な固定用ねじ７２、例えば、蝶ねじで固定するように構成してある。つまり、固定用ねじ７２を緩めた状態で、屈曲角度θ２を所要の角度に変化させた後に、固定用ねじ７２を締め付けることによって、その屈曲角度θ２で固定することができるように構成してある。
【００７４】
取付穴７１Ｃは、支点６１を中心にした円弧状の穴に形成するのが理想的であるが、加工を簡便にするために、図４のように、穴幅を大きめにして、１３５°の角度をもたせた曲がり穴に形成してある。
【００７５】
上流側枠体５０Ａと下流側枠体５０Ｂとの間の両外側を覆う覆板６６Ａ・６６Ｂの各一端は、固定板５１Ｘ・５１Ｙの固定用ねじ５１ｘ・５１ｙと固定板５１Ｙの上流側に設けた固定用ねじ５１ｚとを利用して、下流側枠体５０の側に固定してあり、覆板６６Ａ・６６Ｂの各他端は、上流側枠体５０Ａの上下のフレーム４１の張出部分４１ｖと、上下のヒンジ金具７５Ａ・７５Ｂの張出部分７５Ａ２との間の溝部分４１ｕの中に入れ込ませてるようにしてある。
【００７６】
そして、屈曲角度θ２を、例えば、４５°程度にした場合には図７のように、また、屈曲角度θ２を、例えば、屈曲角度範囲θ１の最大角度９０°と同一の角度にした場合には図８のように、屈曲された状態になり、屈曲案内片６５は下流側の端部が案内片５４の内側に入った状態で、それ自体の弾性による案内曲面を形成することになる。
【００７７】
また、覆板６６Ａ・６６Ｂも同様にして曲面を形成るとともに、端部が溝部分４１ｕに沿って出入するので、上流側枠体５０Ａの両外側に沿って出入するように動作することなり、上流側枠体５０Ａと下流側枠体５０Ｂとの間の両外側を保護できることになる。
【００７８】
さらに、可変屈曲機構６０を任意の屈曲角度θ２に屈曲させて、固定機構７０により屈曲角度を固定した状態にすると、屈曲箇所Ｍｂにおいて、対向ベルト部分４２に挟まれた薄片１００が移動する経路が、案内片５３の内側から対向ローラ４５Ｌの外周に沿って案内片５４の内側を通り、また、案内片５３・５４の間の箇所では、薄片１００の上下が屈曲案内片６５の内側で案内されるので、薄片１００が円滑に屈曲箇所Ｍｂを通過することができる。
【００７９】
なお、ベルト４５Ａ・４５Ｂが伸縮度を十分に大きくとれない材質の場合には、屈曲角度θ２が屈曲角度範囲θ１になるまで伸びきれなかったり、対向ベルト部分４２での薄片１００を挟む弾力が弱くなって、薄片１００の搬送に支障を生ずる場合がある。
【００８０】
こうした場合には、ベルト４５Ａの長さとベルト４５Ｂの長さとが多少異なるものを用い、屈曲角度θ２を種々に変化させた状態において、対向ベルト部分４２が薄片１００を挟む弾力が必要最小限以上になるような引っ張り状態が得られる長さになるのものにして構成すればよい。
【００８１】
そして、屈曲案内片６５の移設と回転固定板７１の変更とによって、屈曲角度範囲θ１を反時計方向の角度に変更する場合には、ベルト４５Ａとベルト４５Ｂとを入れ換えて、上記のような引っ張り状態になるように構成すればよい。
【００８２】
したがって、この第１実施例の構成によれば、屈曲箇所Ｍｂに位置する主搬送部分４Ｘに可変屈曲機構６０と固定機構７０とを設けるだけの構成で、任意の屈曲角度をもつ主搬送路Ｍに対応可能な薄片搬送装置３００ならびにその利用装置を提供できるわけである。
【００８３】
また、屈曲案内片６５・覆体６６Ａ・６６Ｂを透明な合成樹脂材の板材で形成することによって、使用中に屈曲箇所Ｍｂで薄片１００の搬送が行き止まるなどの異常状態を作業員が目視確認し得るほか、屈曲案内片６５・覆体６６Ａ・６６Ｂが薄板材で形成することによって、作業員が指先など屈曲案内片６５・覆体６６Ａ・６６Ｂを案内片５４・溝部分４１ｕから引き出すことにより、屈曲箇所Ｍｂの内部が露呈されるので、対向ベルト部分４２から薄片１００を取り出すことができる。
【００８４】
〔第２実施例〕
以下、図９により第２実施例を説明する。この第２実施例の構成が上記の第１実施例の構成と異なる箇所は、案内ローラ４５Ｐ・４５Ｒと、案内ローラ４５Ｑ・４５Ｓとの部分を、屈曲角度θ２の内側になる方の案内ローラ部分のみに変更して、案内ローラ４５Ｐ・４５Ｑだけを設けるようにして基本的な部分のみを設けるようにした箇所である。
【００８５】
そして、具体的には、案内ローラ４５Ｐの軸受４５ｐを固定する保持板４５Ｐｘ、例えば、金属板で形成したフレームを案内片５３の基体部分５３Ｃに、取付ねじ４５Ｐｙで固定し、また、案内ローラ４５Ｑの軸受４５ｑを固定する保持板４５Ｑｘ、例えば、金属板で形成したフレームを固定板５１Ｘに取付ねじ４５ｘ１・４５ｘ２で固定して構成することにより、上下のフレーム４１に対する軸受４５ｐ・４５ｒ・４５ｑ・４５ｓの取付穴部分の加工を無くして、構成を簡便にしたものである。
【００８６】
この第２実施例の構成において、屈曲角度範囲θ１を反時計方向の角度に変更する場合には、屈曲案内片６５を対向ベルト部分４２の前側に移す移設に加えて、案内ローラ４５Ｐ・４５Ｑを対向ベルト部分４２の後側に移す移設を行う必要がある。
【００８７】
つまり、この第２実施例の構成は、概括的には、上記の第１実施例の構成の場合と同様に、上記の第１の構成〜第４の構成を構成していることになるものである。
【００８８】
〔第３実施例〕
以下、図３・図９により、第３実施例を説明する。この第３実施例の構成が、上記の第１実施例と異なる箇所は、案内ローラ４５Ｐ・４５Ｒの部分は図３と同一の配置にしておき、案内ローラ４５Ｑ・４５Ｓの部分を、屈曲角度θ２の内側になる方の案内ローラ部分のみに変更して、案内ローラ４５Ｑだけを設けるようにした箇所である。
【００８９】
そして、具体的には、案内ローラ４５Ｑの部分を、上記の第２実施例の場合と同様に構成して構成することにより、下流側枠体５０Ｂの上下のフレーム４１に対する軸受４５ｑ・４５ｓの取付穴部分の加工を無くして、構成を簡便にしたものである。
【００９０】
この第３実施例の構成において、屈曲角度範囲θ１を反時計方向の角度に変更する場合には、屈曲案内片６５を対向ベルト部分４２の前側に移す移設に加えて、案内ローラ４５Ｑを対向ベルト部分４２の後側に移す移設を行うことが必要になる。
【００９１】
つまり、この第３実施例の構成は、概括的には、上記の第１実施例の構成の場合と同様に、上記の第１の構成〜第４の構成を構成していることになるものである。
【００９２】
〔第４実施例〕
以下、図９・図１０により第４実施例を説明する。この第４実施例の構成が、上記の第１実施例〜第３実施例の構成と異なる箇所は、支点６１の位置を、ローラ４５Ｌの回転中心４５Ｌｚと一致させるように変更して、理論的な支点位置に変更した箇所である。
【００９３】
そして、具体的には、支点６１を構成するピン６１Ａ２を、例えば、ローラ４５Ｌの軸受部分４５ｌの上側に設けた金属板のフレーム（図示せず）に固定するとともに、回転固定板７１・固定用座体７３・固定用ねじ７２（図示せず）を、変更した支点６１に対応した位置に設けて構成する。
【００９４】
この構成によれば、屈曲角度θ２を種々の角度に変更した場合も、常に、図１０のように、対向ベルト部分４２が案内片５３Ａ・５３Ｂの中央を通る状態に位置付けることができる。
【００９５】
なお、図１０から分かるように、上下のヒンジ金具７５Ａ・７５Ｂの間に、下流側枠体５０Ｂの上下のフレーム４１の端面４１Ｂ１の部分を入れ込む部分を、第１実施例の構成の場合よりも大きくしておく必要がある。
【００９６】
そして、屈曲角度範囲θ１を反時計方向の角度範囲に変更する場合には、第１実施例・第２実施例の場合と同様に、屈曲案内片６５・案内ローラ４５Ｊ・４５Ｑを、それぞれ、反対側に移設することに加えて、支点６１の位置をローラ４５Ｍの回転中心４５Ｍｚと一致させた位置に移設する必要がある。
【００９７】
つまり、この第３実施例の構成は、概括的には、上記の第１実施例の構成の場合と同様に、上記の第１の構成〜第４の構成を構成していることになるものである。
【００９８】
〔変形実施〕
この発明は次のように変形して実施することを含むものである。
（１）覆板６６・６６Ｂの固定部分を上流側枠体５０Ａに設けるとともに、覆板６６・６６Ｂの入れ込み部分を下流側枠体５０Ｂに設けるように変更して構成する。
【００９９】
（２）案内片５２の部分を、図１７の〔案内・保護兼用型構成〕と同様の凸状部分４８Ａによって案内するように変更して構成する。
（３）対向ベルト部分４２の長さが長い箇所、例えば、各実施例における下流側枠体５０Ｂの対向ベルト部分４２の箇所に、図１８の〔蛇行搬送型構成〕のローラ４３Ｃを配置して構成する。
【０１００】
（４）プーリ４３Ａ・４３Ｂとプーリ４４Ａ・４４Ｂとを、図１８の〔食込搬送型構成〕と同様に、ずらせて配置するように変更して構成する。
（５）上記（２）の構成において、対向ローラ４５Ｊ・４５Ｋの配置を、図１８の〔食込搬送型構成〕におけるプーリ４３Ａ・４３Ｂと同様に、ずらせて配置するように変更して構成する。
【０１０１】
（６）上流側枠体５０Ａの部分の長さと下流側枠体５０Ｂの部分の長さとを同一程度の長さに変更し、または、上流側枠体５０Ａの部分の長さを長くして下流側枠体５０Ｂの部分の長さを短くするように変更して構成する。
【０１０２】
（７）副搬送路Ｓを片側のみ、すなわち、前側のみ、または、後側のみに設けた薄片搬送装置３００ならびにその利用装置、例えば、パチンコ台島装置５００に適用して構成する。
【０１０３】
（８）下側のヒンジ金具７５Ｂの部分を上側のヒンジ金具７５Ａの部分と同一のものに変更して構成する。
（９）上記（６）の構成に、固定用座体７３・固定用ねじ７２を付加して構成する。
【０１０４】
（１０）第２実施例〜第４実施例の構成において、案内片５４の基体部分５３Ｃの箇所に、図９に鎖線で示したように、上下の基体部分５３Ｃを連結して固定する柱状体５４ｘを設けることにより固定板５１Ｘ・５１Ｙを除去するとともに、固定板５１Ｘ・５１Ｙに取り付ける構成部分、すなわち、覆体６６Ａ・６６Ｂ、保持板４５Ｑｘなどを基体部分５４Ｃに直接的に固定するように変更して構成する。
（１１）覆板６６Ａ・６６Ｂとこれらに関連する部分を除去して構成する。
【０１０５】
（１２）案内片５３Ａまたは案内片５３Ｂの下流側先端部分に肉厚を厚くした取付箇所を設け、この取付箇所に屈曲案内片６５を取付固定するように変更して構成する。
（１３）案内導管８を設けない薄片搬送装置３００に適用して構成する。
【０１０６】
【発明の効果】
この発明によれば、以上のように、主搬送路の屈曲箇所に位置付ける主搬送部分に可変屈曲機構と固定機構とを設けるだけの構成で、任意の屈曲角度をもつ主搬送路に対応できるようにした薄片搬送装置ならびにその利用装置、例えば、パチンコ台島装置が得られる。
【０１０７】
したがって、これらの装置を安価に提供できるほか、これらの装置を設置する際の現場作業を簡単に短時間で済ませられるなどの特長が得られるなどの効果がある。
【図面の簡単な説明】
図面中、図１〜図１０はこの発明の実施例を、また、図１１〜図１８は従来技術を示し、各図の内容は次のとおりである。
【図１】要部構成横断平面図
【図２】要部構成内部斜視図
【図３】要部構成横断平面図
【図４】要部構成平面図
【図５】要部構成正面図
【図６】要部構成縦断面図
【図７】要部構成横断平面図
【図８】要部構成横断平面図
【図９】要部構成横断平面図
【図１０】要部構成横断平面図
【図１１】要部構成側面・横断平面図
【図１２】要部構成横断平面図
【図１３】要部構成横断平面図
【図１４】要部構成内部斜視図
【図１５】要部構成正面図
【図１６】要部構成斜視図
【図１７】要部構成縦断面図
【図１８】要部構成横断平面図
【符号の説明】
２  合流搬送部分
２Ｂ  案内片
２ａ・２ｂ  受止具
２ｚ  保持板
４  主搬送部分
４Ａ  保護覆
４Ｘ  主搬送部分
８  案内導管
２３  案内片
２４  対向ローラ
２５Ａ  ローラ
２６  駆動モータ
２６Ａ  歯車機構
２７Ｃ  手動用つまみ
２９〜２９ｄ  仲介歯車
２９Ｄ  歯車
３０  突起
４１  フレーム
４１Ａ１  端面
４１Ｂ１  端面
４１ｕ  溝部分
４１ｖ  張出部分
４１ｘ  端面
４２  対向ベルト部分
４３Ａ・４３Ｂ  駆動側プー
４３Ｃ  ローラ
４４Ａ・４４Ｂ  従動側プーリ
４５Ａ・４５Ｂ  ベルト（対向ベルト搬送機構）
４５Ａ１・４５Ｂ１  ベルト（復側ベルト）
４５Ｊ・４５Ｋ  上流側対向ローラ
４５Ｌ・４５Ｍ  下流側対向ローラ
４５Ｌｚ  回転中心
４５Ｍｚ  回転中心
４５Ｐ  上流側案内ローラ
４５Ｐｘ  保持板
４５Ｐｙ  取付ねじ
４５Ｑ  下流側案内ローラ
４５Ｑｘ  保持板
４５ｘ１・４５ｘ２  取付ねじ
４５ｊ・４５ｋ・４５ｐ・４５ｒ  軸受部分
４５ｌ・４５ｍ・４５ｑ・４５ｓ  軸受部分
４６ａ・４６ｂ  歯車
４７  穴
４７Ａ  掛止具
４８  覆用部材
４８Ａ  凸状部分
５０  枠体
５０Ａ  上流側枠体
５０Ｂ  下流側枠体
５１  固定板
５１Ａ  ねじ
５１Ｕ・５１Ｖ  固定板
５１Ｘ・５１Ｙ  固定板
５１ｕ・５１ｖ  固定用ねじ
５１ｘ・５１ｙ  固定用ねじ
５１ｚ  固定用ねじ
５２  案内片
５３  上流側案内片
５３Ａ・５３Ｂ  案内片
５３Ｃ  基体部分
５４  下流側案内片
５４Ａ・５４Ｂ  案内片
５４Ｃ  基体部分
５５  途中箇所
５８  案内片
５９Ａ・５９Ｂ  案内片
６０  可変屈曲機構
６１  支点
６１Ａ１・６１Ｂ１  ピン
６１Ａ２・６１Ｂ２  支点穴
６５  屈曲案内片
６６Ａ・６６Ｂ  覆板
７０  固定機構
７１  回転固定板
７１Ａ  対称形部分
７１Ｃ  取付穴
７２  固定用ねじ
７３Ａ  取付ねじ
７３Ｂ  ねじ穴
７５Ａ・７５Ｂ  ヒンジ金具
７５Ａ１・７５Ｂ１  取付ねじ
７５Ａ２  張出部分
８１  対向ローラ
９８  保護覆
９９  検出器
１００  薄片
１１０  収納箱
２５１・２５２  蛇行
３００  薄片搬送装置
３００Ａ  主搬送路部分
５００  パチンコ台島装置
Ｂ  パチンコ台
Ｃ  副搬送路部分
Ｌ１  距離
Ｌ２  大きさ
Ｌ３  長さ
Ｍ  主搬送路
Ｍｂ  屈曲箇所
Ｐｘ  対向位置点
Ｓ  副搬送路
Ｗ  幅
θ１  屈曲角度範囲
θ２  屈曲角度
【図１】
0004504554.tif 000002
【図２】
0004504554.tif 000003
【図３】
0004504554.tif 000004
【図４】
0004504554.tif 000005
【図５】
0004504554.tif 000006
【図６】
0004504554.tif 000007
【図７】
0004504554.tif 000008
【図８】
0004504554.tif 000009
【図９】
0004504554.tif 000010
【図１０】
0004504554.tif 000011
【図１１】
0004504554.tif 000012
【図１２】
0004504554.tif 000013
【図１３】
0004504554.tif 000014
【図１４】
0004504554.tif 000015
【図１５】
0004504554.tif 000016
【図１６】
0004504554.tif 000017
【図１７】
0004504554.tif 000018
【図１８】
0004504554.tif 000019